(57)【要約】【課題】装置全体に一体感がある浴室用の音響装置を提供する。【解決手段】音響装置１０は浴室内に配置される音響装置１０であって、浴室外に配置されたオーディオ機器Ｓの音声を出力するスピーカ２、２と、オーディオ機器Ｓを操作する操作部１ａとを一体に備えている。【選択図】図１
2006115420.tif 000002
【特許請求の範囲】
【請求項１】
浴室内に配置される音響装置であって、
浴室外に配置されたオーディオ機器の音声を出力するスピーカと、前記オーディオ機器を操作する操作部とを一体に備えたことを特徴とする音響装置。
【請求項２】
請求項１において、
前記スピーカは少なくとも左右２つからなるステレオスピーカであって、前記操作部は左右のスピーカの間に設けられ、前記スピーカ及び前記操作部が納められる筐体はスピーカ収容部と操作部収容部とがリブ壁により分割されていることを特徴とする音響装置。
【請求項３】
請求項１または２において、
前記オーディオ機器として浴室外に配置されるテレビのリモコン受信部に向けて操作信号を発信する発信部を備えたことを特徴とする音響装置。
【発明の詳細な説明】
【技術分野】
【０００１】
本発明は、浴室内に設置される音響装置に関するものである。
【背景技術】
【０００２】
近年、浴室内においても、壁面や天井に装置を埋め込むことにより、テレビやラジオを楽しめるようになってきている。次の特許文献には、リモコンによる浴室用テレビの例が記載されている。
【特許文献１】実登第２５０３５６４号公報
【発明の開示】
【発明が解決しようとする課題】
【０００３】
ところで従来の浴室用テレビには、モニターとともに２つのスピーカを一体的に備えたものもあるが、コンパクト化の観点からスピーカには小型のものが採用されており、そのため音質には期待できず、またスピーカが近接しているため、背面で音が干渉し音質が劣化することもある。よって、この種のテレビでは、音を楽しむことはできない。
複数のスピーカと操作ユニットとを別々に設置すれば音質の問題は解決できるが、一体感がなく美観がよくない。
【０００４】
本発明は、このような事情を考慮して提案されたもので、その目的は、装置全体に一体感がある浴室用の音響装置を提供することにある。また、２つのスピーカと操作部とを含んだ一体的な構造であっても、音質が低下しないようにすることも主たる目的に含まれる。
【課題を解決するための手段】
【０００５】
上記目的を達成するために、請求項１に記載の音響装置は、浴室内に配置される音響装置であって、浴室外に配置されたオーディオ機器の音声を出力するスピーカと、オーディオ機器を操作する操作部とを一体に備えたことを特徴としている。
【０００６】
請求項２では、スピーカは少なくとも左右２つからなるステレオスピーカであって、操作部は左右のスピーカの間に設けられ、スピーカ及び操作部が納められる筐体はスピーカ収容部と操作部収容部とがリブ壁により分割された構造にしたことを特徴としている。
【０００７】
請求項３に記載の音響装置は、オーディオ機器として浴室外に配置されるテレビのリモコン受信部に向けて操作信号を発信する発信部をさらに備えている。
【発明の効果】
【０００８】
請求項１〜３に記載の音響装置によれば、浴室外に配置したオーディオ機器の音声を出力するスピーカとそのオーディオ機器を遠隔操作する操作部とを一体的に含んだ構造であるため、浴室内に設置しても一体感があり、意匠性を損なうことはない。
【０００９】
また、請求項２では、左右のスピーカを収容する各スピーカ収容部と、操作部収容部とがリブ壁で仕切られた構造であるため、背面で両スピーカから出力される音が干渉することが少ないため、音質低下も効果的に防げる。
【００１０】
請求項３に記載の音響装置は、テレビなどのオーディオ機器に内蔵されたリモコン受信部に対して操作信号を発信する発信部を備えているので、配線が不要で施工性がよい。また、ワイヤレス操作信号が確実にオーディオ機器に届くように、いったんオーディオ機器の設置場所を決めてしまえば、通信位置が固定され、施工後において良好の通信状態で使用できる。
【発明を実施するための最良の形態】
【００１１】
以下に、本発明の実施の形態について、図面とともに説明する。
【実施例１】
【００１２】
図２（ａ）は本発明装置の外観を示す斜視図、（ｂ）は内部構造を示す分解斜視図である。
音響装置１０は、浴室外のオーディオ機器Ｓ（図５参照）をリモコン操作するための操作部１ａと、ワイヤレス信号を発信する発信部１ｂと、オーディオ機器Ｓの音声を出力する左右のスピーカ２、２とを一体的に備えている。スピーカ２、２は振動板の背面にスピーカユニット（不図示）を接触保持した構造となっており、表面パネルの左右の窓から露出させた振動板を振動させて音響出力させる構造となっている。なお、丸電池などのスピーカ部品は不図示である。また、表面パネル１０ａには音量調節操作部や音量表示部（いずれも図５で後述）なども配置されている。なお、図２（ｂ）の１０ｂはボディ、１０ｃはカバー、１０ｄは回路基板を示している。
この音響装置１０は、浴室内の壁面などに埋め込まれ、表面パネル１０ａを露出させて使用される。図３に示す背面突起１０ｅを壁面に埋め込むことによって固定される。なお、１０ｆは中空の配線孔であり、音響装置１０に対する配線はこの配線孔１０ｆを介して回路基板１０ｄに接続される。
また、表面パネル１０ａとボディ１０ｂとの間、表面パネル１０ａ、カバー１０ｃ、スピーカ２のそれぞれの間は、パッキン、シーリングで防水されている。また、表面パネル１０ａは透明の樹脂シートで防水保護されている。
【００１３】
図４は、本発明の音響装置１０の筐体の内部を示す模式図である。ここで、太線で囲まれた箇所はスピーカ収容部２Ｓ、２Ｓであり、中央の１Ｓで示した箇所が操作部収容部である。また、太線はリブ壁Ｒを示しており、このリブ壁Ｒによって、筐体内部の各収容部２Ｓ、１Ｓ、２Ｓが分割され、仕切られる。
図２（ｂ）でも示しているように、リブ壁Ｒはスピーカ２、２をスピーカ収容部２Ｓ、２Ｓに収容しても十分な高さ（深さ）を有したもので、これにより双方のスピーカ２、２から出力される音響が相互に干渉することを防止している。また、背面突起１０ｅはスピーカ収容部２Ｓ、２Ｓに連通する中空の凹所を形成しているため、スピーカの背面空間も十分に確保でき、低音域の性能も確保できる。
なお、本例ではリブ壁Ｒは各スピーカ収容部２Ｓ、２Ｓを囲むように形成されているが、左スピーカ収容部２Ｓ、操作部収容部１Ｓ、右スピーカ収容部２Ｓを仕切ることのできる２枚の仕切り壁であってもよく、音もれのない構造が望ましい。
【００１４】
図１は、本発明の音響装置１０の使用態様図（概略システム系統図）であり、図５は、図１の浴室用音響システムの構成をさらに詳細に示したシステム系統図である。
このシステムは、浴室内に設置した音響装置１０と、浴室天井などに設置した電源ユニット２０と、浴室外のリモコン受信部Ｓａを有したオーディオ機器Ｓ（ステレオスピーカを備えたテレビなど）とを組み合わせて構成されている。
図１に示すように、音響装置１０を浴室内に設置し、オーディオ機器Ｓは浴室外（例えば脱衣室や居間）に設置して使用できるようになっている。音響装置１０からの赤外線操作信号が、窓ガラスＧを透過して脱衣室や居間などに設置されたオーディオ機器Ｓに到達するように、音響装置１０とオーディオ機器Ｓとが配置されている。
【００１５】
音響装置１０と電源ユニット２０とは、図５に示したように、電源線Ｌ１、オーディオ線Ｌ２で接続されている。また、電源ユニット２０は、少なくとも、音響装置１０に電源線Ｌ１を通じて電源を供給するとともに、音信号出力機能を備えたオーディオ機器Ｓとはオーディオ線Ｌ２で接続されて、音信号が供給される構成としている。
音響装置１０は、上述した操作部１ａおよび２つのスピーカ２、２を含むほか、オーディオ機器Ｓのリモコン受信部Ｓａに対してワイヤレス信号を発信する発信部１ｂ、音量調節操作部３、音量表示部４（例えば、音域ごとのインジケータ表示が可能なもの）、アンプ回路５、チャンネル選択スイッチ（不図示）、電源スイッチ（不図示）などを含んでいる。ここに操作部１ａは、表面パネル１０ａに切り込みを形成して複数のリモコンスイッチ１ｃを形成しており、これらのリモコンスイッチ１ｃは、チャンネル選択スイッチ、電源のオンオフスイッチなどのオーディオ機器Ｓを操作する押ボタンと、音量調節スイッチなどの音響装置１０自身を操作する押ボタンとを含んでいる。
音響装置１０は、操作部１ａが操作されると、発信部１ｂからオーディオ機器Ｓにワイヤレス操作信号を送信して、オーディオ機器Ｓの遠隔操作ができる構成となっている。すなわち、音響装置１０はオーディオ機器Ｓのコントローラとしても作用する。なお、発信部１ｂは赤外線発生器または電波発生器で構成されている。また、操作部１ａと発信部１ｂを含むリモコン部１が、本体から取り外して使用できるようにしてもよい。
【００１６】
一方、電源ユニット２０は、ＡＣ−ＤＣ電源変換回路２１、電源入力端子Ｔ１１、オーディオ入力端子Ｔ２１、電源出力端子Ｔ１２、オーディオ出力端子Ｔ２２を備えている。電源出力端子Ｔ１２と音響装置１０の電源入力端子ｔ１とは電源線Ｌ１で接続され、オーディオ出力端子Ｔ２２と音響装置１０のオーディオ入力端子ｔ２とはオーディオ線Ｌ２で接続されている。
また、電源ユニット２０はオーディオ機器Ｓの電源出力端子（不図示）から電源供給を受けるようにしてもよい。その場合は、電源変換回路２１で、オーディオ機器Ｓの電源出力端子から供給された電源を入力して、音響装置１０に電源を供給する。
【００１７】
このように、音響装置１０と電源ユニット２０とが分離別体となっているので、音響装置１０は大型化せず、また施工も容易に行える。なお、アンプ回路５は電源ユニット２０側に設けてもよい。
【００１８】
以上のように、音響装置１０は浴室外のオーディオ機器Ｓの音声を出力するスピーカ２と、そのオーディオ機器Ｓを遠隔操作する操作部１ａとを一体的に含んだ構造であるため、浴室内に設置しても一体感が保たれ、美観を損なうことはない。また、市販品であるテレビ、ＭＤ、ステレオなどをオーディオ機器Ｓとして組み合わせて使用することもできるので、浴室用音響システムを低コストで実現することができる。
また特に、ワイヤレス信号でオーディオ機器Ｓを操作できるようにしているので、施工性がよい。また、ワイヤレス操作信号が確実に受信できるように、いったんオーディオ機器Ｓの設置場所を決めてしまえば、通信位置が固定される（特に発信側の場所が完全に固定される）ため、施工後において良好な通信状態で使用できる。
【００１９】
なお、市販のテレビ等と組み合わせて使用する場合には、市販テレビのリモコン受信部に、発信部１ｂから操作信号を送って操作コマンドを記憶させる必要がある。具体的には、テレビ側で操作コマンドを登録させるスイッチを選択しながら、順次リモコン部１の操作部１ａを操作して、テレビ側にコマンドを割り付け記憶させるようにする。
また、市販のオーディオ機器と接続する場合、それぞれの接続端子を、着脱可能なコネクタ部として構成しておけば、電源ユニット、音響装置、オーディオ機器を、市販の電源線、オーディオ線を使用して接続するだけでよいので、配線作業を簡易化できる。
【図面の簡単な説明】
【００２０】
【図１】本発明の音響装置の使用態様図（概略システム系統図）である。
【図２】（ａ）は本発明の音響装置の外観図、（ｂ）は分解斜視図である。
【図３】本発明の音響装置の背面図である。
【図４】本発明の音響装置の内部を示す模式図である。
【図５】浴室用音響システムのシステム系統図である。
【符号の説明】
【００２１】
１０      音響装置
１ａ      操作部
１ｂ      発信部
Ｒ      リブ壁
２      スピーカ
３      音量調節操作部
４      音量表示部
５      アンプ回路
２０      電源ユニット
２１      電源変換回路
Ｓ      オーディオ機器
Ｓａ      リモコン受信部
Ｌ１      電源線
Ｌ２      オーディオ線
【図１】
2006115420.tif 000003
【図２】
2006115420.tif 000004
【図３】
2006115420.tif 000005
【図４】
2006115420.tif 000006
【図５】
2006115420.tif 000007